(57)【要約】【課題】  本発明は社交ダンス等のダンスの練習を行うダンス練習機に関し、特に１人であってもダンスの練習を行うことができ、更にパートナーから視た踊り方をカメラで撮影することよって、パートナー視線で動きをチェックすることができ、より効率良くダンスの練習を行うことができるダンス練習機を提供するものである。【解決手段】  位置を固定するベース部と、該ベース部に対して鉛直方向を回転軸として回転可能な胴体部と、該胴体部を覆うと共に、ダンス相手が把持する把持部を有する衣服とを備えたダンス練習機であり、パートナーから視た踊り方をカメラで撮影することよって、パートナー視線で動きをチェックすることができ、効率良くダンスの練習を行うことができることを特徴とする。【選択図】  図１
2020048618.tif 000002
【特許請求の範囲】
【請求項１】
位置を固定するベース部と、
該ベース部に対して鉛直方向を回転軸として回転可能な胴体部と、
該胴体部を覆うと共に、ダンス相手が把持する把持部を有する衣服と、
を備えたことを特徴とするダンス練習機。
【請求項２】
前記ベース部と胴体部とはベアリングを介装して取り付けられていることを特徴とする請求項１に記載のダンス練習機。
【請求項３】
前記ベース部には、前記胴体部を前記回転軸と直交する方向に移動させる移動機構を備えることを特徴とする請求項１、又は２に記載のダンス練習機。
【請求項４】
前記胴体部に取り付けられたカメラと、
該カメラの撮像データを受信し、表示部に表示する表示制御部と、
を更に備えることを特徴とする請求項１、２、又は３に記載のダンス練習機。
【請求項５】
前記カメラの撮像データを記憶する記憶部を備え、該記憶部に記憶した前記撮像データを前記表示制御部の制御に従って前記表示部に表示することを特徴とする請求項１、２、３、又は４に記載のダンス練習機。
【発明の詳細な説明】
【技術分野】
【０００１】
本発明は社交ダンス等のダンスの練習に使用するダンス練習機に関する。
【背景技術】
【０００２】
今日充実した余暇利用への志向が高まる中、競技ダンスへの発展性もある社交ダンスは高齢者のみならず若い人の間にも人気を集めている。社交ダンスにはスタンダードとラテンがあり、例えばワルツや、タンゴ、サルサといった代表的な踊りがあるが、何れにしても基本はステップや回転である。この為、特許の分野においても多くのダンス練習機やダンス練習器具が提案されている。
【０００３】
特にサルサは男性がリードし、女性がフォローするペアダンスであり、動きの基本は女性が直線ライン上を、男性はその周りを動き、それに回転運動が加わる動きの組み合わせである。この為、この動きの組み合わせをシンプルに再現できるダンス練習機が切望されている。
【０００４】
例えば、特許文献１は実際の女性と踊るように社交ダンスを練習できる男性身体具と、垂直性を維持する相手パートナー具を備えるダンス練習器具の発明である。そして、実際にダンス相手に装具を装着し、男性が右手で実際の女性の背中中央、左肩甲骨や左上腕を保持しながら、ポジションやスウエイをリードし、ダンスの練習を行う練習器具である。
【先行技術文献】
【特許文献】
【０００５】
【特許文献１】特開２００９−２３３３１９号公報
【発明の概要】
【発明が解決しようとする課題】
【０００６】
しかしながら、上記発明ではダンス相手に装具を装着して練習する必要があり、１人でダンスの練習を行う場合、利用することができない。特に、単身者やダンスの練習スタジオが近くに無い地域に住んでいる場合には、深刻である。
【０００７】
１人でダンスの練習を行おうとする場合、回転運動や前後左右への移動を疑似的に行わせるダンス相手としての対象物が必要であるが、現状においては困難である。また、上記従来の発明ではサルサの踊りに有用なダンス練習機ではない。
【０００８】
そこで、本発明は、例えばマネキンをベースとして改良を加え、回転運動や前後左右への移動を可能にすることによってダンス相手とし、回転運動や前後左右への移動が必要なダンスの練習を１人で行うことができるダンス練習機を提供するものである。また、サルサの練習に特に有効なダンス練習機を提供するものである。
【課題を解決するための手段】
【０００９】
上記課題は本発明によれば、位置を固定するベース部と、該ベース部に対して鉛直方向を回転軸として回転可能な胴体部と、該胴体部を覆うと共に、ダンス相手が把持する把持部と、を備えたダンス練習機を提供することによって達成できる。
【００１０】
ここで、上記ベース部と胴体部は、例えばベアリングを介装して取り付けられていることを特徴とする。また、上記ベース部には、胴体部を上記回転軸と直交する方向に移動させる移動機構を備えることを特徴とする。また、把持部は上記胴体部に取り付けられたビニールチューブやゴムチューブ、又は紐やロープ、又は関節形状を備えた木製や鉄製の部材、更には胴体部に着せた服の袖部であることを特徴とする。  
【００１１】
さらに、上記課題は本発明によれば、前記胴体部にカメラを取り付け、該カメラの撮像データを受信し、表示部に表示することを特徴とする。さらに、上記カメラの撮像データを記憶部に記憶し、該記憶部に記憶した撮像データを後に表示制御部の制御に従って表示部に表示することを特徴とする。
【発明の効果】
【００１２】
本発明のダンス練習機をパートナーとして回転させ、前後左右に移動させてダンスの練習を行うことができ、１人であってもダンスの練習を行うことができ、ダンススタジオが近くに無い場合でも容易にダンスの練習を行うことができる。
【００１３】
本発明は、特にサルサの踊りに最適なダンス練習機であり、サルサの踊りを美しく見せる為には男性のリードが重要である。この為、本発明のダンス練習機を使用してダンスを踊る間、パートナーから視た踊り方をカメラで撮影することよって、パートナー視線で自己の動きをチェックすることができ、更にこの撮像データを記憶し、後に再生してチェックを行うことにより、より美しく見せる為のダンスの練習を行うことができる。
【図面の簡単な説明】
【００１４】
【図１】本実施形態のダンス練習機の基本構成を説明する図である。
【図２】本実施形態のダンス練習機に頭部を設け、更に胴体部に服（例えば、シャツ）を着せた状態を示す図である。
【図３】シャフトが取り付けられたベース部の構造を説明する斜視図である。
【図４】シャフト抑えの構造を説明する図である。
【図５】ベース部を構成する基板の上面の構造を説明する図である。
【図６】移動板の記載を省略した状態でのシャフト及びベアリングカバーの取り付け位置を示す図である。
【図７】本実施形態のダンス練習機を使用して ダンスの練習を行う一場面を示す図である。
【図８】ダンス練習機にＣＣＤカメラを取り付けた状態を示す図である。
【図９】ＣＣＤカメラを使用したダンス練習システムのシステム構成図である。
【発明を実施するための形態】
【００１５】
以下、本発明の実施形態を図面に基づいて詳細に説明する。
図１は本実施形態のダンス練習機の基本構成を説明する図である。同図において、ダンス練習機１は胴体部２と該胴体部２に固設されたシャフト３を介して取り付けられたベース部４で構成され、胴体部２はベース部４に対して回転可能に構成されている。また、詳しく後述するように、胴体部２はベース部４に対して前後左右に移動可能に構成されている。
【００１６】
図２は上記基本構成のダンス練習機１に頭部５を設け、更に胴体部２に服（例えば、シャツ）６を着せた状態を示す図である。本例のダンス練習機１は、例えばマネキンを基本構成としているが、実際のダンス相手（例えば、女性）の胴体部２と頭部５の重さの比率に対応して、例えば以下のように構成されている。尚、同図に示す６ａは服６の袖部であり、後述する把柄部に対応する。
【００１７】
本例のダンス練習機１はマネキンと同じ素材、例えばＦＲＰ（強化プラスチック）で製作されているがガラス繊維とポリエステル樹脂の複合素材に加えて、頭部５に鉄等の重い材料を内蔵して製作され、実際のダンス相手と踊った場合の重心等を考慮した構造となっている。したがって更に、例えばダンス相手の下半身に対応するダンス練習機１のシャフト３に重りを取り付け、パートナーと実際に踊っている感覚が得られるような構成としてもよい。
【００１８】
本例のダンス練習機１はシャフト３に固定された胴体部２が回転可能に構成され、前述のようの前後左右に移動可能に構成されている。図３はシャフト３が取り付けられたベース部４の構造を説明する斜視図である。
【００１９】
同図において、ベース部４は基板４ａと移動板４ｂで構成され、移動板４ｂは基板４ａ上を前後左右に移動可能に構成されている。シャフト３にはシャフト抑え８が取り付けられ、シャフト抑え８は螺子８ａでシャフト３に取り付けられている。
【００２０】
図４はシャフト抑え８の構造を説明する図である。シャフト抑え８の外周にはベアリング機構の内輪となる樹脂部８ｂが取り付けられ、シャフト抑え８は図３に示すようにベアリングカバー９によって覆われている。また、ベアリングカバー９は４本の螺子９ａ（尚、同図には３本の螺子９ａのみ記載）によって移動板４ｂに取り付けられている。
【００２１】
本例で使用するベアリング機構はシャフト３に対して直角方向の力を受けるラジアル型の軸受であり、ベアリングカバー９内にはシャフト抑え８の樹脂部８ｂに対向する外輪である不図示の軸受部が内装されている。尚、外輪（軸受部）と内輪（樹脂部８ｂ）との間にはオイルシールされた、例えば円筒コロが配設され、ベアリング機構を構成している。
【００２２】
したがって、本例のダンス練習機１は胴体部２（頭部５）がベース部４に対して回転自在に構成され、例えば胴体部２に着せられた服（例えば、シャツ）６の袖（把柄部）６ａを掴んで回すことによって、ダンス練習機１の胴体部２を簡単に回転させることができる。
【００２３】
尚、上記ラジアル軸受に代えて、シャフト３に対して同方向の力を受けるスラスト軸受を使用する構成としてもよい。また、上記基板４ａ及び移動板４ｂは、木製、又はアルミ等の金属製、更には樹脂等、各種材料を使用することができる。
【００２４】
一方、図５は上記基板４ａの上面の構成を説明する斜視図である。同図において、基板４ａの上面には所定の深さの溝１０が形成され、この溝１０にスライドレール１１が取り付けられている。尚、この溝１０は基板４ａの上面の２ヶ所に形成され、同じ構成のスライドレール１１が取り付けられる。本例で使用するスライドレール１１は、例えばアキュライド製のスライドレールであり、インナーメンバ１１ａとアウターメンバ１１ｂで構成され、内部に不図示のボールベアリングを備える。
【００２５】
スライドレール１１の一方を構成するアウターメンバ１１ｂは基板４ａ側に取り付けられ、スライドレール１１の他方を構成するインナーメンバ１１ａは移動板４ｂの下面に取り付けられている。尚、スライドレール１１の構成を分かり易く説明する為、図５では移動板４ｂの記載を省略し、移動板４ｂの下面に取り付けられたインナーメンバ１１ａのみを示している。
また、図６も移動板４ｂの記載を省略し、移動板４ｂの記載を省略した状態でのシャフト３及びベアリングカバー９の取り付け位置を示している。
【００２６】
スライドレール１１の内部のボールベアリングは上記胴体部２を含むダンス練習機１の荷重に充分耐えることができる機能を有し、基板４ａに対してインナーメンバ１１ａが取り付けられた移動板４ｂを矢印Ａ−Ａ´方向（前後方向）に移動可能である。
【００２７】
尚、移動板４ｂの前方向への移動は、スライドレール１１に設けられた不図示のストッパー機構によって所定位置で止まる構造である。また、移動板４ｂには戻しゴム１２が設けられ、例えば基板４ａ側に設けられた不図示のフックに戻しゴム１２の一端を取り付け、常時上記Ａ´方向に付勢力を加えている。
【００２８】
したがって、上記構成によって移動板４ｂが基板４ａに対して前後方向に移動自在であり、図示しないが、例えばもう１枚移動板を設け、上記移動板４ｂに設けたスライドレール１１と直交する方向にスライドレールを設け、上記前後方向に対して矢印Ｂ−Ｂ´方向（左右方向）にも移動自在にすることができる。
【００２９】
したがって、本例のダンス練習機１は移動板４ｂが前後左右に移動自在であり、更に移動板４ｂに回転可能に設けられたシャフト３に胴体部２が取り付けられているので、本例のダンス練習機１をダンスの相手方として自由に回転させ、前後左右に移動させることができる。
【００３０】
また、本例のダンス練習機１の胴体部２は前述のように服（シャツ）を着た状態であり、このシャツの袖６ａを把持部として掴み胴体部２を回転させ、また袖６ａ（把持部）を押し引きすることによって前後左右に移動させることができる。    
【００３１】
したがって、本例のダンス練習機１をダンスのパートナーとし、回転させ、前後左右に移動させ、ダンスの練習を行うことができる。図７は本例のダンス練習機１を使用して ダンスの練習を行う一場面を示す図であり、ダンス練習機１をダンスのパートナーとし、例えば練習者７はパートナー（ダンス練習機１）の服６の袖６ａを掴み、回転させ、更に前後左右に移動させ、ダンスの練習を自由に行うことができる。
【００３２】
すなわち、本例のダンス練習機１を使用することによって、１人であってもダンスの練習を行うことができ、ダンススタジオが近くに無い場合でも本例のダンス練習機１を使用することによって容易にダンスの練習を行うことができる。
【００３３】
特に、本例のダンス練習機１はサルサを踊る際有効な練習装置である。すなわち、サルサは前述のように男性がリードし、女性がフォローするペアダンスであり、サルサの動きの基本は、女性が直線ライン上を、男性はその周りを動き、それに回転運動が加わる動きの組み合わせである。
【００３４】
したがって、本例のダンス練習機１は上記動きに対応した練習に極めて有効であり、自由に女性をリードするには通常５年〜６年かかると言われるサルサの踊りを本例のダンス練習機１を使用することによって、より短時間で達成することが可能となる。
【００３５】
さらに、本例のダンス練習機１にＣＣＤカメラを取り付けることによって、より効率の良いダンスの練習を行うことができる。図８は本例のダンス練習機１にＣＣＤカメラ１３を取り付けた状態を示す図である。
【００３６】
同図に示すように、ＣＣＤカメラ１３は胴体部２にバンド１３ａを使用して取り付けられており、このＣＣＤカメラ１３によってダンスのパートナーから見た男性の動作を撮影することができる。尚、ＣＣＤカメラ１３の取付け位置は任意であり、例えば頭部５に取り付ける構造であってもよい。
【００３７】
図９は上記ＣＣＤカメラ１３を使用したダンス練習システムのシステム構成図である。ＣＣＤカメラ１３は無線ＬＡＮを用いてコンピュータシステムに接続されている。具体的にはＣＣＤカメラ１３によって撮影した撮像データは受信機１４によって受信され、信号線１４ａを介してシステムに取り込まれる。
【００３８】
本システムはＣＰＵ１５、ＲＯＭ１６、ＲＡＭ１７等で構成され、ＣＰＵ１５はＲＯＭ１６に登録されたプログラムに従って処理を行い、ＣＣＤカメラ１３よって撮像された撮像データの処理が行われる。また、記憶装置（データベース）１８にＣＣＤカメラ１３によって取得した撮像データを記憶し、モニタ（ディスプレイ）１９に取得した画像を表示する。
【００３９】
尚、本システムでは上記ＲＯＭ１６に記憶したプログラムに従って撮像データを処理するほか、メディアドライバ２０にＣＤ−ＲＯＭ等の記録媒体２１を装着し、当該記録媒体２１から上記プログラムを読み出して処理を行う構成としてもよい。
【００４０】
上記システムを使用することによって、パートナーから視た練習者７の踊り方をＣＣＤカメラ１３を使用して撮影することができ、同時にモニタ１９を見ながらダンスの練習を行うことができる。すなわち、パートナー視線で自己の動きをチェックすることができ、極めて有効なダンス練習システムとなる。
【００４１】
さらに、記憶装置１８に撮像データを記憶し、後に再生して再度チェックを行うことができ、より有効かつ効率良くダンスの練習を行うことができる。
【００４２】
また、上記システムによって、撮像データから胴体部２の回転数を計測し、ダンス１曲当たりの運動量や回転数が適切であるか否か等の検討資料とすることもできる。
【００４３】
尚、上記実施形態の説明では、把持部として本例のダンス練習機１に着せた服（シャツ）の袖６ａを利用したが、本発明は上記に限定されるものではなく、上記胴体部２にビニールチューブやゴムチューブを取り付け、又は紐やロープ、更には関節形状を備えた木製や鉄製の部材を取り付けて把持部としてもよい。
【００４４】
また、上記本実施形態の説明では、ベース部４として基板４ａと移動板４ｂで構成し、基板４ａ上を移動板４ｂがスライドする構造について説明したが、ベース部４として移動板４ｂを使用することなく、基板４ａのみで構成し、基板４ａの下面に、例えば４個のローラを取り付け、胴体部２を移動させる構造としてもよい。この場合、前後左右のみならず床面上であらゆる方向に胴体部２を移動させることができ、更に有効なダンス練習機とすることができる。
【００４５】
また、ベース部４として板状の基板４ａや移動板４ｂではなく、例えば４本の棒状部材の先端にローラを取り付けた構造であっても同様に、前後左右のみならずあらゆる方向に胴体部２を移動させることができ、有効なダンス練習機とすることができる。
【００４６】
また、ベース部４をセグウエイ型とし、前後方向又は左右方向に移動自在なダンス練習機としてもよく、更に本例のダンス練習機１は必ずしも人型である必要はなく、少なくとも把持部を備えればよく、底部に重い部材を配置し、例えば起き上がりこぼし型のダンス練習機であってもよく、更にこのダンス練習機の下部にローラを取り付け、床面上を自在に移動できる構造としてもよい。
【符号の説明】
【００４７】
１・・・ダンス練習機
２・・・胴体部
３・・・シャフト部
４・・・ベース部
４ａ・・基板
４ｂ・・移動板
５・・・頭部
６・・・服（シャツ）
６ａ・・袖（把持部）
７・・・練習者
８・・・シャフト抑え
８ａ・・螺子
８ｂ・・樹脂部
９・・・ベアリングカバー
９ａ・・螺子
１０・・溝
１１・・スライドレール
１１ａ・・インナーメンバ
１１ｂ・・アウターメンバ
１２・・戻しゴム
１３・・ＣＣＤカメラ
１３ａ・・バンド
１４・・受信機
１４ａ・・信号線
１５・・ＣＰＵ
１６・・ＲＯＭ
１７・・ＲＡＭ
１８・・記憶装置
１９・・モニタ（ディスプレイ）
２０・・メディアドライバ
２１・・ＣＤ−ＲＯＭ等の記録媒体
【図１】
2020048618.tif 000003
【図２】
2020048618.tif 000004
【図３】
2020048618.tif 000005
【図４】
2020048618.tif 000006
【図５】
2020048618.tif 000007
【図６】
2020048618.tif 000008
【図７】
2020048618.tif 000009
【図８】
2020048618.tif 000010
【図９】
2020048618.tif 000011